(57)【要約】  【課題】  容易に取り付け可能でかつ回転効率の低下を抑制できる草刈機用の線状カッター式ヘッドを提供する。  【解決手段】  草刈機は、駆動接続部９１を備えた本体と、駆動接続部９１により回転する線状カッター式ヘッド１とからなる。ヘッド１は、駆動接続部９１の先端に着脱自在に取り付けられ、駆動接続部９１により回転する回転体１と、合成樹脂製の線状カッター２と、からなり、回転体１から外側に突出する主たるカッター２２と、回転体１の中央部３から突出する補助カッター２３とを有し、主たるカッター２２と補助カッター２３とは、１本の線状カッター２からなる。【選択図】  図１
2019004704.tif 000002
【特許請求の範囲】
【請求項１】
駆動接続部の先端に着脱自在に取り付けられ、駆動接続部により回転する回転体と、合成樹脂製の線状カッターと、からなり、前記回転体の外側に線状カッターが突出する草刈機用ヘッドであって、
前記線状カッターは、前記回転体の外側から突出する主たるカッターと、前記回転体の内側で突出させた補助カッターとを有し、
前記主たるカッターと前記補助カッターとは、１本の線状カッターからなることを特徴とする草刈機用の線状カッター式ヘッド。
【請求項２】
補助カッターは、少なくとも中央部から外方に向けて突出させる長さを有することを特徴とする請求項１に記載の草刈機用の線状カッター式ヘッド。
【請求項３】
回転体の外壁は、中央部の補助カッターの基端部分より上方に位置する上縁を有し、前記補助カッターの先端を前記回転体の上方へ突出させることを特徴とする請求項２に記載の草刈機用の線状カッター式ヘッド。
【請求項４】
回転体は、外壁の導出孔と、中央部の内壁に挿入孔と突出孔とを有し、
１本の線状カッターの一端を前記導入孔から外側に突出する主たるカッターとし、
もう一端を前記挿入孔から前記中央部内側に挿入し、さらに前記突出孔から前記中央部外側に突出させた補助カッターとすることを特徴とする請求項１，２または３のいずれか一項に記載の草刈機用の線状カッター式ヘッド。
【請求項５】
回転体は、その一方側及び前記一方側の反対側において、外径から内側に導入孔を形成し、この導入孔から外径までの線状カッターのガイドを有する挿通部を設け、
板状のガードを中央部に有し、
前記ガードは、前記挿通部が配置される前記一方側及び前記一方側の反対側の部分以外に突出するよう放射状に形成された突出片を有することを特徴とする請求項４に記載の草刈機用の線状カッター式ヘッド。
【発明の詳細な説明】
【技術分野】
【０００１】
本発明は、草刈機用の線状カッターを備えたヘッドに関する。
【背景技術】
【０００２】
従来、一般的な草刈機（刈払機）は、チップソーなどの回転刃板を用いた切断刃式と、ナイロンコードなどの合成樹脂製のコードを用いた線状カッター式とがある。線状カッター式では、特許文献１に示すように、回転駆動されるカッターヘッドに、外方に向けて突出するナイロンコードを装着し、ナイロンコードの回転によって草などの切断作業を行う草刈機が知られている。
【０００３】
また、草刈機は、切断された草粒が作業杆に絡まり、回転不能となり、草刈作業を行うことができなくなることがある。このため、特許文献２に示すように、主ナイロンコードを周面部から引き出す主コード盤の上面部に、補助ナイロンコードを周囲に突設した補助コード盤を設置し、当該補助コード盤に取り付けた補助コードにより作業杆への草粒のからみつきを排除する草刈機が知られている。
【先行技術文献】
【特許文献】
【０００４】
【特許文献１】実用新案登録第３１６５１０７号公報
【特許文献２】特開２００６−１１１号公報
【発明の概要】
【発明が解決しようとする課題】
【０００５】
刈草等が草刈機用のヘッドの上部や周辺に絡みつくことがあり、主たるカッターだけでは有効に切断することができなかった。特許文献２に示す草刈機では、主コード盤に設けた主ナイロンコードと補助コード盤に設けた補助コードとを個別に備えるため、主コード盤と補助コード盤とで夫々コードを取り付けなければならず、手間がかかる。
【０００６】
上記従来技術の欠点を鑑み、草刈機用のヘッドは、線状カッターに主たるカッター以外に補助カッターを設け、草刈機用のヘッドの上部や周辺に絡みつく刈草をカットして、円滑に草刈りを行うことが好ましい。また、これら主たるカッターと補助カッターとを別々のものとせずに１本の線状カッターで取り付け、交換を容易にするものであって、かつ駆動接続部などの回転部分に刈草などが絡まない草刈機用の線状カッター式ヘッドを提供することを目的とする。
【課題を解決するための手段】
【０００７】
本発明の草刈機用の線状カッター式ヘッドは、駆動接続部の先端に着脱自在に取り付けられ、駆動接続部により回転する回転体と、合成樹脂製の線状カッターと、からなり、前記回転体の外側に線状カッターが突出する草刈機用ヘッドであって、前記線状カッターは、前記回転体の外側から突出する主たるカッターと、前記回転体の内側で突出させた補助カッターとを有し、前記主たるカッターと前記補助カッターとは、１本の線状カッターからなることを特徴とするものである。
【０００８】
さらに、上記構成に加えて、補助カッターは、少なくとも中央部から回転体の外方に向けて突出させる長さを有することが好ましい。
【０００９】
さらに、上記構成に加えて、回転体の外壁は、中央部の補助カッターの基端部分より上方に位置する上縁を有し、前記補助カッターの先端を前記回転体の上方へ突出させることが好ましい。
【００１０】
さらに、上記構成に加えて、回転体は、外壁の導出孔と、中央部の内壁に挿入孔と突出孔とを有し、１本の線状カッターの一端を前記導入孔から外側に突出する前記主たるカッターとし、もう一端を前記挿入孔から前記中央部内側に挿入し、さらに前記突出孔から前記中央部外側に突出させた前記補助カッターとすることが好ましい。
【００１１】
さらに、上記構成に加えて、回転体は、その一方側及び前記一方側の反対側において、外径から内側に導入孔を形成し、この導入孔から外径までの線状カッターのガイドを有する挿通部を設け、板状のガードを中央部に有し、前記ガードは、前記挿通部が配置される前記一方側及び前記一方側の反対側の部分以外に突出するよう放射状に形成された突出片を有することが好ましい。
【発明の効果】
【００１２】
請求項１に記載の発明により、外径から突出する主たるカッターと内側に配した補助カッターにより、回転体の内側に侵入してきた刈草を切断することで、刈草が駆動接続部軸に絡み付くことを防止できる。線状カッターを回転体に取り付けるだけで、主たるカッター及び補助カッターを纏めて取り付け、交換することができる。
【００１３】
また、請求項２に記載の発明により、補助カッターを中央部から回転体外方まで突出させる長さを有することで、中央部外周に配置される収容空間などに侵入しようとする草などを切断することができる。また、線状カッターは、所定の硬さを有するが、可撓性もあるため、回転による変形があってもヘッド周辺の刈草をカットすることができる。
【００１４】
また、請求項３に記載の発明により、回転体の外壁の上縁が補助カッターの基端部分より上方に位置することで、補助カッターの先端を上方に向けることができる。このため、刈草が絡みつきやすいヘッドの上方の刈草をカットすることが可能になる。
【００１５】
また、請求項４に記載の発明により、線状カッターのもう一端を中央部の挿入孔から中央部内側に挿入し、さらに突出孔から中央部外側に突出させる取付方法により、１本の線状カッターを主たるカッターと補助カッターとの双方に利用できるとともに、強固に保持することができる。さらに、従来は主たるカッターの抜け止めを構成する係止具が別途必要であったが、これを用いる必要もなくなる。
【００１６】
また、請求項５に記載の発明により、ヘッドは、ガードを有することで、収容空間への刈草や異物の侵入を防止できる。さらに、使用者が線状カッターを導出孔、挿入孔、突出孔に通すことが容易になるだけでなく、当該部分に突出片がないことで刈草などが収納空間に入ろうとするところを補助カッターでカットすることができる。
【図面の簡単な説明】
【００１７】
【図１】本発明の実施形態に係る草刈機用の線状カッター式ヘッドの一例を示す分解斜視図である。
【図２】図１のヘッドを示し、（ａ）が平面図、（ｂ）が底面図である。
【図３】図２のヘッドを示し、（ａ）が側面図、（ｂ）がＢ−Ｂ断面図である。
【図４】図２のヘッドの線状カッターのＡ領域を示し、（ａ）が鮫歯状の刃を有する一形態、（ｂ）が螺旋状の刃を有する一形態である。
【発明を実施するための形態】
【００１８】
本発明の実施形態について図面に基づいて詳細に説明する。本実施形態にかかる草刈機用の線状カッター式ヘッド１は、把持部及び回転駆動力を伝達する駆動接続部９１を備える駆動本体に接続して使用するものであるが、本説明においては駆動接続部９１以外の駆動本体については省略する。
【００１９】
図１、２に示すように、本実施形態のヘッド１は、駆動接続部９１の下端に、取付具９２、ワッシャ９３を介して取り付けられる。ヘッド１は、駆動接続部９１により回転する回転体１０と、合成樹脂製で２本以上の線状カッター２、２からなる。線状カッター２は、回転体１０の外径から外側に導出された主たるカッター２２と、回転体１０の中央部３から突出する補助カッター２３として用いられる。
【００２０】
回転体１０は、略円錐形状の底面１４と、この底面１４の周縁から立ち上がる外壁１２とからなる円カップ形状であり、底面１４の上面側にはその中央に、略円筒状に突出した中央部３が形成される。中央部３は、中央平面部３１の真中に開口され、駆動接続部９１に接続するための中央開口部３２、中央平面部３１の周縁から底面１４の上表面まで至る内壁３３が形成される。回転体１０は、本実施形態では金属製であるが、硬質の樹脂や他の材料であってもよい。
【００２１】
図１に示すように、回転体１０の外壁１２は底面１４（図２参照）の外縁において連続して、下方から上方にかけて立ち上がり、底面１４は外壁１２の下端から中央にかけて先細り状に湾曲傾斜している（図３（ａ）参照）。このヘッド１を用いた草刈機を使用する場合、湾曲傾斜した底面１４を地面に接するようにして、駆動力により回転体１０を回転させ、この回転体１０に配置された主たるカッター２２及び補助カッター２３により、草をカットするようにして使用する。
【００２２】
回転体１０は、外壁１２と内壁３３との間にドーナツ状となる収容空間１５を有する。この収容空間１５は不使用時に線状カッター２を収容しておくことができる。中央部３の中央開口部３２の周りには中央平面部３１があり、この中央平面部３１には、放射状に複数の突出片４１を有するガード４が配置される。このガード４により、回転体１０の上方が一部遮蔽された状態となる。突出片４１は、周方向に所定の幅を有し、上下に平面を有する板状である。
【００２３】
図２（ａ）及び図３（ａ）に示すように、回転体１０の外壁１２から内側に回転方向（反時計回り）に傾斜するように形成された挿通部１１が２ヶ所形成される。この挿通部１１は、主たるカッター２２を外方へ突出させる導出孔１６が形成され、当該挿通部１１でガイドをするようにして、主たるカッター２２を回転体１０の外方に挿通している。
【００２４】
図２（ａ）及び図３（ｂ）により、挿通部１１の具体的な形態を示す。挿通部１１は、外径から内側に形成された導出孔１６と、この導出孔１６から回転方向（Ｘ）後方が大きなアールとなる曲面１１ａ、回転方向（Ｘ）前方が小さなアールとした曲面１１ｂとが形成されるもので、外壁１２から連続する箱状構造である。この曲面１１ａにより、回転された主たるカッター２２が外方へ突出して刈込作業時に極端に曲がることを防止する目的により、曲面に沿って曲がるようにガイドすることができる。導出孔１６は外径から若干内側に入った位置に形成され、曲面１１ａ、１１ｂにより、挿通部１１は回転体１０の回転に合わせて刈込作業圧力を逃がすためにアールを設けている。
【００２５】
回転体１０の中央部３の内壁３３には、挿入孔３４ａ、突出孔３４ｂが水平方向に並んで開口されている。中央部３の内壁３３は、高さ方向に若干傾斜しているが外壁１２とほぼ同じく立ち上がる内壁面があることで、外壁と対向する面に挿入孔３４ａ、突出孔３４ｂが形成されることとなる。挿入孔３４ａと突出孔３４ｂのうち、挿入孔３４ａは外壁１２の導出孔１６に対応する位置にあるが、必ずしも導出孔１６の直近の内側でなくてもよく、線状カッター２を確実にセットできる位置が好ましい。本実施形態においては、図３（ｂ）に示すように、挿通部１１において曲面１１ａが形成され、線状カッター２は曲面１１ａのアールに沿って突出している。この突出方向に合わせて挿入孔３４ａが配置されることが好ましい。
【００２６】
前述のガード４は複数の突出片４１、４１が形成されるが、挿入孔３４ａ、突出孔３４ｂが形成される部分には、突出片４１が配置されないことが好ましい。図２（ａ）に示すように、本実施形態において突出片４１は、図面上中央部３からみて、上方、右上方、左上方、下方、右下方、左下方の６方向に突出するように形成されるが、挿入孔３４ａと突出孔３４ｂの組は中央部３からみて右方、左方の２ヶ所（２方向）に形成され、当該方向に突出片４１を形成していない。これにより、挿通部１１の位置を確保し、使用者が補助カッター２３を挿入孔３４ａ、突出孔３４ｂに通すことが容易になるだけでなく、当該部分に突出片４１がないことで刈草などが収納空間１５に入ろうとするところを補助カッター２３でカットすることができる。
【００２７】
本実施形態におけるヘッド１は、主たるカッター２２と補助カッター２３とを１本の線状カッター２で配置する。つまり、線状カッター２の一方端を主たるカッター２２とし、もう一方端を補助カッター２３として用いる。これにより、簡易な構成で２つのカッターを用いたヘッド１を提供することができる。また、本実施形態においては、この主たるカッター２２と補助カッター２３とを１本にした線状カッター２を、２本使用し、２つの主たるカッター２２、補助カッター２３を用いている。これは、３本やその他の本数であってもよい。
【００２８】
線状カッター２は、一方端が導出孔１６から外側に向けて突出し、外壁１２の外径から外側に向けて突出している。この回転体１０よりも突出した部位が主たるカッター２２となる。主たるカッター２２は、回転体１０の回転に伴い、周方向に動き、雑草などの刈草を切断する。
【００２９】
線状カッター２のもう一方端を、挿入孔３４ａを通して中央部３の中央側へ、さらにもう一度、突出孔３４ｂを通して回転体１０内から一部外側に位置するように突出させる。つまり、線状カッター２の主たるカッター２２と反対側の端を、外側から挿入孔３４ａに通して、中央部３に係合させて、突出孔３４ｂを通して回転体の内側から外側にかけて突出するようにする。この突出した線状カッター２が補助カッター２３となり、突出孔３４ｂが補助カッター２３の基端部分となる。
【００３０】
このように、線状カッター２を中央部３の挿入孔３４ａ、突出孔３４ｂに取り付けるだけで、主たるカッター２２と補助カッター２３とを纏めて取り付け、交換することができる。さらに、この線状カッター２の取付方法により従来は主たるカッター２２の抜け止めを構成する係止具が別途必要であったが、これを用いる必要がなくなるという効果もある。
【００３１】
補助カッター２３の存在により、回転体１０の上部や駆動接続部９１との接続部分に進入した草を切断することができる。補助カッター２３は外壁１２の外側に達する程度の長さを有する。この場合、補助カッター２３の先端が外壁１２の外側に位置するようにする。線状カッター２は、比較的硬質の樹脂からなるものであるが、可撓性もあるため、回転による曲がりを考慮した場合に、その先端が少なくとも外壁１２の外側に位置する程度の長さを有することが好ましい。このようにすることで、補助カッター２３が回転体１０の周辺に絡む刈草をカットすることができる。
【００３２】
また、図３（ａ）に示すように、立ち上がる外壁１２の上縁は補助カッター２３の突出孔３４ｂ（基端部分）よりも上方に位置する。これにより、補助カッター２３の先端は、外壁１２より外側に位置させると、外壁１２の上縁を超えるときに上方に向く。これにより、補助カッター２３が回転体１０の上方に絡みつく刈草をカットし易くすることができる。
【００３３】
また、補助カッター２３の収容空間１５に突出させた部分では、例えば収容空間１５に侵入しようとする刈草などを切断して、これらが挿入孔３４ａなどに絡まることを防止できる。補助カッター２３の回転体１０の上方かつ外側に突出させた部分では、例えば収容空間１５よりも外周で刈草などを切断して、これらが収容空間１５の周囲に侵入することを防ぎ、駆動接続部９１に絡み付く刈草を防止することができる。
【００３４】
線状カッター２は、例えば、図４（ａ）に示すように、鮫歯状の刃２１を複数設けたものや、図４（ｂ）に示すように、螺旋状の刃２１を複数設けたものなどが好ましいが、これら形状に限らない。
【符号の説明】
【００３５】
１…ヘッド、２…線状カッター、３…中央部、４…ガード、１０…回転体、１１…挿通部、１２…外壁、１５…収容空間、１６…導出孔、２２…主たるカッター、２３…補助カッター、３４ａ…挿入孔、３４ｂ…突出孔（基端部分）、４１…突出片、９１…駆動接続部
【図１】
2019004704.tif 000003
【図２】
2019004704.tif 000004
【図３】
2019004704.tif 000005
【図４】
2019004704.tif 000006